(57)【要約】【課題】複数のサーバのうち、ＫＶＭ切替器と接続するサーバに正確かつ簡単に切り替えること。【解決手段】画像検出部１２が、受信画像にＫｅｙ画像及び起動識別画像が含まれているか否かを判定し、Ｋｅｙ画像が含まれている場合にはＫｅｙ画像を対応テーブル制御部１５に出力する。また、画像検出部１２は、起動識別画像が含まれていない場合には起動識別信号をＯＦＦとする。また、対応テーブル７１がスイッチ番号とＫｅｙ画像とコネクタ番号とを対応付けて記憶する。そして、対応テーブル制御部１５が、受信画像が対応テーブル７１に登録されていて、対応するコネクタ番号が画像を受信したコネクタ対１１の番号と一致し、起動識別信号がＯＦＦである場合に、コネクタ番号を接続切替制御部１６に出力する。そして、接続切替制御部１６がディスプレイ３、キーボード４及びマウス５と接続するサーバ２を切替信号に基づいて切り替える。【選択図】図１
2015230680.tif 000002
【特許請求の範囲】
【請求項１】
複数のコンピュータの中で周辺装置に接続するコンピュータを切り替える入出力切替装置において、
前記複数のコンピュータにそれぞれ対応付けられた複数の異なるデータを記憶する対応データ記憶部と、
受信データと一致するデータを前記対応データ記憶部が記憶するか否かを判定する一致判定部と、
前記一致判定部が一致するデータを前記対応データ記憶部が記憶すると判定した場合に、前記受信データを送信したコンピュータに前記周辺装置の接続を切り替える切替制御部と
を備えることを特徴とする入出力切替装置。
【請求項２】
前記複数のコンピュータにそれぞれ対応付けられた複数のスイッチを備え、
前記対応データ記憶部は、各スイッチを識別するスイッチ識別子と、各コンピュータに対応付けられたデータと、各コンピュータに対応付けられたデータを受信したコネクタを識別するコネクタ識別子とを対応付けてスイッチ毎に記憶し、
前記切替制御部は、前記複数のスイッチのいずれかが操作されると、該操作されたスイッチに前記対応データ記憶部でコネクタ識別子が対応付けられたコネクタに接続されたコンピュータを前記周辺装置に接続することを特徴とする請求項１に記載の入出力切替装置。
【請求項３】
前記一致判定部が一致するデータを前記対応データ記憶部が記憶すると判定した場合に、前記対応データ記憶部で一致するデータに対応付けられたコネクタ識別子と前記受信データを受信したコネクタの識別子が同じであるか否かを判定するコネクタ判定部と、
前記コネクタ判定部により同じでないと判定された場合に、前記受信データを受信したコネクタの識別子に基づいて前記対応データ記憶部を更新することを特徴とする請求項２に記載の入出力切替装置。
【請求項４】
前記一致判定部が一致するデータを前記対応データ記憶部が記憶しないと判定した場合に、前記受信データを受信したコネクタの識別子に対応付けて該受信データを前記対応データ記憶部に登録する登録部をさらに備えることを特徴とする請求項２に記載の入出力切替装置。
【請求項５】
受信データに起動識別用データが含まれているか否かを判定する起動判定部をさらに備え、
前記一致判定部は、前記起動判定部により受信データに起動識別用データが含まれていると判定された場合に、受信データから起動識別用データが除去されたデータと一致するデータを前記対応データ記憶部が記憶するか否かを判定し、
前記切替制御部は、前記起動判定部により受信データに起動識別用データが含まれていると判定された場合には、前記周辺装置へのコンピュータの切り替えを行わないことを特徴とする請求項１〜４のいずれか１つに記載の入出力切替装置。
【請求項６】
複数のコンピュータの中で周辺装置に接続するコンピュータを切り替える入出力切替装置と該複数のコンピュータと該周辺装置とを有するコンピュータシステムにおいて、
前記入出力切替装置は、
前記複数のコンピュータにそれぞれ対応付けられた複数の異なるデータを記憶する対応データ記憶部と、
受信データと一致するデータを前記対応データ記憶部が記憶するか否かを判定する一致判定部と、
前記一致判定部が一致するデータを前記対応データ記憶部が記憶すると判定した場合に、前記受信データを送信したコンピュータに前記周辺装置の接続を切り替える切替制御部と
を備えることを特徴とするコンピュータシステム。
【請求項７】
複数のコンピュータの中で周辺装置に接続するコンピュータを切り替える入出力切替装置による入出力切替方法において、
前記複数のコンピュータにそれぞれ対応付けられた複数の異なるデータを記憶する対応データ記憶部が受信データと一致するデータを記憶するか否かを判定し、
一致するデータを前記対応データ記憶部が記憶すると判定した場合に、前記受信データを送信したコンピュータに前記周辺装置の接続を切り替える
ことを特徴とする入出力切替方法。
【発明の詳細な説明】
【技術分野】
【０００１】
本発明は、入出力切替装置、コンピュータシステム及び入出力切替方法に関する。
【背景技術】
【０００２】
１組のディスプレイ、キーボード及びマウスを用いて複数のサーバの監視及び操作を可能とするＫＶＭ切替器がある。ここで、サーバとは、情報処理サービスを提供するコンピュータであり、ＫＶＭは、KeyboardのＫとVisual  UnitのＶとMouseのＭを表す。
【０００３】
図１５は、ＫＶＭ切替器を説明するための図である。図１５に示すように、ＫＶＭ切替器９には、サーバ＃１〜サーバ＃４として示される４台のサーバ８とディスプレイ３とキーボード４とマウス５とが接続される。各サーバ８とＫＶＭ切替器９とはＫＶＭ信号ケーブルで接続される。ＫＶＭ信号ケーブルには、ディスプレイ３、キーボード４及びマウス５の信号ケーブルが含まれる。
【０００４】
ＫＶＭ切替器９は、サーバ＃１〜サーバ＃４にそれぞれ対応付けられた４つのサーバ切替スイッチ９１を有する。ｉ＝１〜４として、サーバ＃ｉに対応するサーバ切替スイッチ９１が操作されると、サーバ＃ｉにディスプレイ３、キーボード４及びマウス５が接続される。なお、ここでは、説明の便宜上、４台のサーバ８をＫＶＭ切替器９で切り替える場合を示したが、ＫＶＭ切替器９はより多くのサーバ８を切り替えてもよい。
【０００５】
また、情報処理装置から入出力されている制御信号に応じて複数の情報処理装置を選択的に切り替え、選択されている情報処理装置の表示情報を表示装置に表示し、選択されている情報処理装置をキーボード、マウス等により制御する入出力切替装置がある。
【０００６】
また、コンピュータから電源投入後に出力される信号をＣＰＵで検知し、当該信号を出力したコンピュータをモニタに接続するように回線を自動的に切り替えるモニタ切替器がある。
【先行技術文献】
【特許文献】
【０００７】
【特許文献１】特開２００５−４２９７号公報
【特許文献２】特開２００１−２１５９４２号公報
【発明の概要】
【発明が解決しようとする課題】
【０００８】
しかしながら、図１５に示したＫＶＭ切替器９には、多数のサーバ８の中から接続したいサーバ８にサーバ切替スイッチ９１を用いて確実に切り替えることが困難であるという問題がある。接続したいサーバ８に切り替えられているかを確認するための方法として、それぞれのサーバ８の出力画面を確認する方法があるが、サーバ８を区別するための情報が表示されていない場合には、画面表示で簡単に区別することは困難である。また、複数のサーバ２で同じＯＳが動作している場合、それぞれの画面は非常に似ており、画面表示で簡単に区別することは困難である。
【０００９】
確実に目的のサーバ８とサーバ切替スイッチ９１の対応を特定するためには、ＫＶＭ切替器９とサーバ８間のケーブルを手で手繰りながら接続を確認する必要がある。しかしながら、サーバ８やＫＶＭ切替器９がラックに実装されていると、接続ケーブルはラック背面に設置され、通常、ラック背面には非常に多数のケーブルが設置されている。このため、コンピュータシステムの操作者は、ラック背面へ回り込み、大量のケーブルから特定のケーブルを探し出し、ケーブルを手繰って接続先を確認する必要がある。したがって、接続の確認は非常に困難な作業となる。
【００１０】
また、ＫＶＭ切替器９のサーバ切替スイッチ９１近傍へラベル等によりサーバ切替スイッチ９１と接続されているサーバ名称を表示することにより、切り替え操作を簡便にする方法等が取られることがある。しかしながら、システムの保守後、予期せずＫＶＭ切替器９とサーバ８の接続が変わってしまった場合、表示されている内容と接続されているサーバ２の組合せが変わってしまい、サーバ切替スイッチ９１で正しく対象のサーバ８へ切り替えることができない。
【００１１】
本発明は、１つの側面では、複数のコンピュータの中から周辺装置に接続したいコンピュータに確実に切り替えることを容易にする入出力切替装置、コンピュータシステム及び入出力切替方法を提供することを目的とする。
【課題を解決するための手段】
【００１２】
本願の開示する入出力切替装置は、１つの態様において、複数のコンピュータの中で周辺装置に接続するコンピュータを切り替える入出力切替装置である。前記入出力切替装置は、前記複数のコンピュータにそれぞれ対応付けられた複数の異なるデータを記憶する対応データ記憶部と、受信データと一致するデータを前記対応データ記憶部が記憶するか否かを判定する一致判定部とを備える。また、前記入出力切替装置は、前記一致判定部が一致するデータを前記対応データ記憶部が記憶すると判定した場合に、前記受信データを送信したコンピュータに前記周辺装置の接続を切り替える切替制御部を備える。
【発明の効果】
【００１３】
１実施態様によれば、コンピュータシステムの操作者は、複数のコンピュータの中から周辺装置に接続したいコンピュータに簡単に切り替えることができる。
【図面の簡単な説明】
【００１４】
【図１】図１は、実施例に係るコンピュータシステムの構成を示す図である。
【図２】図２は、Ｋｅｙ画像の一例を示す図である。
【図３】図３は、合成画像の一例を示す図である。
【図４】図４は、対応テーブルの一例を示す図である。
【図５】図５は、対応テーブルにＫｅｙ画像が存在しない場合の対応テーブルの更新例を示す図である。
【図６】図６は、Ｋｅｙ画像を受信したコネクタ対のコネクタ番号と、対応テーブルにおいてＫｅｙ画像に対応するコネクタ番号とが異なる場合の対応テーブルの更新例を示す図である。
【図７】図７は、対応テーブルにコネクタ番号が記憶されていない場合の対応テーブルの更新例を示す図である。
【図８】図８は、キーボード及びマウスがＵＳＢで接続される場合のＫＶＭ切替器の構成を示す図である。
【図９】図９は、画像検出部の処理のフローを示すフローチャートである。
【図１０】図１０は、対応テーブル制御部のＫｅｙ画像処理のフローを示すフローチャートである。
【図１１】図１１は、サーバ切替スイッチが押された場合の対応テーブル制御部の処理のフローを示すフローチャートである。
【図１２】図１２は、接続切替制御部の処理のフローを示すフローチャートである。
【図１３】図１３は、サーバのハードウェア構成を示す図である。
【図１４】図１４は、Ｋｅｙ画像送信スイッチが押された場合のサーバの処理のフローを示すフローチャートである。
【図１５】図１５は、ＫＶＭ切替器を説明するための図である。
【発明を実施するための形態】
【００１５】
以下に、本願の開示する入出力切替装置、コンピュータシステム及び入出力切替方法の実施例を図面に基づいて詳細に説明する。なお、この実施例は開示の技術を限定するものではない。
【実施例】
【００１６】
まず、実施例に係るコンピュータシステムの構成について説明する。図１は、実施例に係るコンピュータシステムの構成を示す図である。図１に示すように、実施例に係るコンピュータシステム１０は、ＫＶＭ切替器１と、サーバ＃１〜サーバ＃ｎで示されるｎ台のサーバ２と、ディスプレイ３と、キーボード４と、マウス５とを有する。
【００１７】
ディスプレイ３は、サーバ＃１〜サーバ＃ｎのうちＫＶＭ切替器１により接続されるサーバ２の表示情報を表示する装置である。キーボード４は、サーバ＃１〜サーバ＃ｎのうちＫＶＭ切替器１により接続されるサーバ２にデータを入力するための装置である。マウス５は、ディスプレイ３に表示される情報の制御やディスプレイ３に表示された項目の選択などに使用される装置である。
【００１８】
各サーバ２は、情報処理サービスを提供するコンピュータであり、ＫＶＭ切替器１のコネクタ対＃１〜コネクタ対＃ｎで示されるｎ個コネクタ対１１のいずれかにＫＶＭ信号ケーブルにより接続される。すなわち、サーバ＃１はコネクタ対＃１に接続され、サーバ＃２はコネクタ対＃２に接続され、．．．、サーバ＃ｎはコネクタ対＃ｎに接続される。
【００１９】
サーバ２は、Ｋｅｙ画像送信スイッチ２７を有する。Ｋｅｙ画像スイッチ２７が押下されると、サーバ２は、記憶するＫｅｙ画像２ａをＫＶＭ切替器１に出力する。Ｋｅｙ画像２ａは、ＫＶＭ切替器１によりディスプレイ３、キーボード４及びマウス５に接続するサーバ２の切り替えに用いられる。
【００２０】
図２は、Ｋｅｙ画像２ａの一例を示す図である。図２に示すように、Ｋｅｙ画像２ａは特定の特徴を有する。ただし、Ｋｅｙ画像２ａは、サーバ２毎に異なるパターンを有する。すなわち、サーバ＃１が有するＫｅｙ画像＃１、サーバ＃２が有するＫｅｙ画像＃２、．．．、サーバ＃ｎが有するＫｅｙ画像＃ｎは全てパターンが異なる。
【００２１】
また、サーバ２は、起動識別画像２ｂを記憶し、起動時に一定期間、起動識別画像２ｂとＫｅｙ画像２ａとを合成した合成画像をＫＶＭ切替器１に出力する。起動識別画像２ｂは、サーバ＃１〜サーバ＃ｎで共通な画像である。
【００２２】
図３は、合成画像の一例を示す図である。図３に示すように、合成画像２ｃには、Ｋｅｙ画像２ａと起動識別画像２ｂがそれぞれ識別可能に含まれる。合成画像２ｃは、ＫＶＭ切替器１によりＫｅｙ画像２ａの登録及び修正に用いられる。
【００２３】
ＫＶＭ切替器１は、ディスプレイ３、キーボード４及びマウス５に接続するサーバ２を切り替える装置である。ＫＶＭ切替器１は、ｎ個のコネクタ対１１と、画像検出部＃１〜画像検出部＃ｎで示されるｎ個の画像検出部１２と、サーバ切替スイッチ＃１〜サーバ切替スイッチ＃ｎで示されるｎ個のサーバ切替スイッチ１３と、スイッチ制御部１４とを有する。また、ＫＶＭ切替器１は、対応テーブル制御部１５と、接続切替制御部１６と、ＫＶＭ接続コネクタ１７と、テーブルリセットスイッチ１８とを有する。
【００２４】
コネクタ対１１は、サーバ２とＫＶＭ信号ケーブルで接続するための接続部であり、ディスプレイ信号ケーブルのコネクタ、キーボード信号ケーブルのコネクタ、マウス信号ケーブルのコネクタを有する。コネクタ対＃１〜コネクタ対＃ｎのディスプレイ信号ケーブルのコネクタは、それぞれ画像検出部＃１〜画像検出部＃ｎに接続される。また、コネクタ対＃１〜コネクタ対＃ｎは、接続切替制御部１６に接続される。
【００２５】
画像検出部１２は、コネクタ対１１から送られてくる画像信号に含まれるＫｅｙ画像２ａ及び起動識別画像２ｂを検出し、検出したＫｅｙ画像２ａと起動識別信号を対応テーブル制御部１５に出力する。ここで、起動識別信号は、起動識別画像２ｂが検出されたか否かを示す信号であり、起動識別画像２ｂが検出された場合にはＯＮであり、起動識別画像２ｂが検出されなかった場合にはＯＦＦである。
【００２６】
画像検出部１２は、フレームメモリ６１と、画像処理部６２とを有する。フレームメモリ６１は、サーバ２から送られてきた画像を記憶するメモリである。画像処理部６２は、フレームメモリ６１が記憶する画像からＫｅｙ画像２ａ及び起動識別画像２ｂを検出する。
【００２７】
サーバ切替スイッチ１３は、ディスプレイ３、キーボード４及びマウス５に接続するサーバ２を切り替えるために使用されるスイッチである。サーバ切替スイッチ＃１が押下されるとサーバ＃１がディスプレイ３、キーボード４及びマウス５に接続され、サーバ切替スイッチ＃２が押下されるとサーバ＃２がディスプレイ３、キーボード４及びマウス５に接続される。同様に、サーバ切替スイッチ＃ｎが押下されるとサーバ＃ｎがディスプレイ３、キーボード４及びマウス５に接続される。各サーバ切替スイッチ１３は、押下されるとサーバ切替スイッチ１３の識別情報をスイッチ制御部１４に出力する。
【００２８】
スイッチ制御部１４は、押下されたサーバ切替スイッチ１３の識別情報をスイッチ信号として対応テーブル制御部１５に出力する。
【００２９】
対応テーブル制御部１５は、スイッチ制御部１４からスイッチ信号を受け取り、押下されたサーバ切替スイッチ１３に対応するコネクタ番号を示す信号を切替信号として接続切替制御部１６に出力する。ここで、コネクタ番号は、コネクタ対１１を識別する番号であり、１〜ｎの整数である。
【００３０】
また、対応テーブル制御部１５は、画像検出部１２が出力するＫｅｙ画像２ａと起動識別信号を用いて、ディスプレイ３、キーボード４及びマウス５に接続するサーバ２に対応するコネクタ番号を示す信号を切替信号として接続切替制御部１６に出力する。
【００３１】
対応テーブル制御部１５は、対応テーブル７１と、Ｋｅｙ画像比較部７２とを有する。対応テーブル７１は、各サーバ切替スイッチ１３を識別するスイッチ番号と、コネクタ番号と、コネクタ番号で識別されるコネクタ対１１から送られてきたＫｅｙ画像２ａとを対応付けてスイッチ番号毎に記憶する。
【００３２】
図４は、対応テーブル７１の一例を示す図である。図４では、ｉ＝１〜４の整数として、スイッチ番号＃ｉと、Ｋｅｙ画像＃ｉと、コネクタ番号＃ｉとが対応付けて記憶されている。この場合、サーバ切替スイッチ＃ｉが押下されると、対応テーブル制御部１５は、コネクタ対＃ｉとディスプレイ３、キーボード４及びマウス５を接続するように接続切替制御部１６に指示する。なお、対応テーブル７１は、初期状態では、スイッチ番号とコネクタ番号が、スイッチ番号＃１に対してコネクタ番号＃１、スイッチ番号＃２に対してコネクタ番号＃２、．．．、スイッチ番号＃ｎに対してコネクタ番号＃ｎのように設定される。また、初期状態では、対応テーブル７１にＫｅｙ画像は記憶されない。
【００３３】
Ｋｅｙ画像比較部７２は、画像検出部１２が出力するＫｅｙ画像２ａを対応テーブル７１が記憶する各Ｋｅｙ画像２ａと比較する。対応テーブル制御部１５は、Ｋｅｙ画像比較部７２による比較結果及び画像検出部１２が出力する起動識別信号を用いて、コネクタ番号の出力及び対応テーブル７１の更新を制御する。
【００３４】
接続切替制御部１６は、対応テーブル制御部１５が出力した切替信号に基づいて、ディスプレイ３、キーボード４及びマウス５とサーバ２との接続を切り替える。具体的には、接続切替制御部１６は、対応テーブル制御部１５が出力した切替信号に基づいて、ＫＶＭ接続コネクタ１７をｎ個のコネクタ対１１のうちの１つに接続する。
【００３５】
ＫＶＭ接続コネクタ１７は、ディスプレイ３、キーボード４及びマウス５とＫＶＭ切替器１とを接続するためのコネクタである。テーブルリセットスイッチ１８は、操作者により押下されると、対応テーブル制御部１５に対応テーブル７１のリセットを指示するとともに、サーバ切替スイッチ１３をリセットする。対応テーブル制御部１５は、対応テーブル７１のリセットを指示されると、対応テーブル７１に関してコネクタ番号の初期化とＫｅｙ画像２ａの消去を行う。なお、スイッチ番号は固定的に記憶される。
【００３６】
次に、ＫＶＭ切替器１がＫｅｙ画像２ａとともに起動識別画像２ｂを受信した場合とＫＶＭ切替器１がＫｅｙ画像２ａだけを受信した場合とに分けて、対応テーブル制御部１５の処理について説明する。
【００３７】
図５〜図７は、ＫＶＭ切替器１がＫｅｙ画像２ａとともに起動識別画像２ｂを受信した場合の対応テーブル７１の更新例を示す図である。図５は、対応テーブル７１にＫｅｙ画像２ａが存在しない場合の対応テーブル７１の更新例を示す。図６は、Ｋｅｙ画像２ａを受信したコネクタ対１１のコネクタ番号と、対応テーブル７１においてＫｅｙ画像２ａに対応するコネクタ番号とが異なる場合の対応テーブル７１の更新例を示す。図７は、対応テーブル７１にコネクタ番号が記憶されていない場合の対応テーブル７１の更新例を示す。
【００３８】
画像検出部＃ｉより送られてきたＫｅｙ画像２ａが対応テーブル７１に存在しない場合、対応テーブル制御部１５は、受信したコネクタ対＃ｉのコネクタ番号＃ｉに対応するＫｅｙ画像＃ｉとして、送られてきたＫｅｙ画像２ａを対応テーブル７１に書き込む。
【００３９】
例えば、サーバ２をＫＶＭ切替器１に接続して最初に起動した場合、サーバ２が記憶するＫｅｙ画像２ａは対応テーブル７１に記憶されていない。図５は、サーバ＃１〜サーバ＃３が既にＫＶＭ切替器１に接続されてＫｅｙ画像＃１〜Ｋｅｙ画像＃３が対応テーブル７１に登録された状態で、サーバ＃４がコネクタ対＃４に接続され、Ｋｅｙ画像＃４が検出された場合の検出前後の対応テーブル７１の状態を示す。Ｋｅｙ画像＃４の検出前は、Ｋｅｙ画像＃４は、対応テーブル７１に記憶されていないが、Ｋｅｙ画像＃４が検出されて対応テーブル７１が書き換えられると、Ｋｅｙ画像＃４がコネクタ番号＃４に対応付けられて対応テーブル７１に記憶される。
【００４０】
なお、この場合は、サーバ＃４が起動された場合であるので、対応テーブル制御部１５は、サーバ接続の切り替え動作は行わない。また、図５（ｂ）は、ｎ＝４であるコンピュータシステム１０の構築後に自動的に対応テーブル７１が初期設定された状態を示している。
【００４１】
画像検出部＃ｉより送られてきたＫｅｙ画像２ａがコネクタ番号＃ｉに対応付けられて対応テーブル７１に登録されていた場合、対応テーブル制御部１５は、対応テーブル７１の更新は行わない。例えば、対応テーブル７１の初期設定後に、通常の運用でコンピュータシステム１０を立ち上げた場合は、画像検出部＃ｉより送られてきたＫｅｙ画像２ａがコネクタ番号＃ｉに対応付けられて対応テーブル７１に登録されており、対応テーブル７１は更新されない。なお、この場合は、サーバ２が起動された場合であるので、対応テーブル制御部１５は、サーバ接続の切り替え動作は行わない。
【００４２】
画像検出部＃ｉより送られてきたＫｅｙ画像２ａが対応テーブル７１に存在するが、コネクタ番号＃ｉと異なるコネクタ番号＃ｊに対応付けられて対応テーブル７１に登録されている場合、対応テーブル制御部１５は、対応テーブル７１を更新する。具体的には、対応テーブル制御部１５は、対応テーブル７１からコネクタ番号＃ｉを消去し、コネクタ番号＃ｊをコネクタ番号＃ｉに書き換える。例えば、操作者又は保守者が意図せずにサーバ＃ｉとコネクタ対＃ｉの接続を対応テーブル７１と異なった状態でサーバ２を立ち上げた場合に、このような状況が発生する。
【００４３】
図６は、サーバ＃１がコネクタ対＃１に接続され、サーバ＃２がコネクタ対＃２に接続されてＫＶＭ切替器１が初期設定された後に、サーバ＃１がコネクタ対＃２に接続され、サーバ＃２がコネクタ対＃１に接続されてサーバ＃１が起動された場合を示す。このとき、コネクタ対＃２よりＫｅｙ画像＃１が出力される。Ｋｅｙ画像＃１は対応テーブル７１内に存在するが、Ｋｅｙ画像＃１に対応するコネクタ番号はコネクタ番号＃１となっている。この場合、対応テーブル制御部１５は、対応テーブル７１内のコネクタ番号＃２を消去し、コネクタ番号＃１をコネクタ番号＃２に書き換える。なお、この場合は、サーバ＃１が起動された場合であるので、対応テーブル制御部１５は、サーバ接続の切り替え動作は行わない。
【００４４】
また、この状態ではサーバ切替スイッチ＃２に対応するコネクタがないため、サーバ切替スイッチ＃２が押されても切替は起こらない。しかしながら、Ｋｅｙ画像＃２に対応するサーバ＃２は動作していないため、切替を行わなくても問題なく、誤って別のサーバへ接続することもない。
【００４５】
次にサーバ＃２が起動されると、コネクタ対１＃よりＫｅｙ画像＃２が出力される。対応テーブル７１内に、Ｋｅｙ画像＃２は存在するが、対応するコネクタ番号がない。このとき、対応テーブル制御部１５は、Ｋｅｙ画像＃２に対応するコネクタ番号としてコネクタ番号＃１を記憶する。図７は、コネクタ番号が記憶されていない場合の対応テーブル７１の更新例を示す。図７に示すように、Ｋｅｙ画像＃２に対応するコネクタ番号として、コネクタ番号＃１が対応テーブル７１に記憶される。
【００４６】
なお、この場合は、サーバ＃２が起動された場合であるので、対応テーブル制御部１５は、サーバ接続の切り替え動作は行わない。このように、サーバ＃２起動時の対応テーブル制御部１５の処理は、サーバ＃１の起動時と同様の処理だが、対応テーブル７１内にコネクタ番号＃１が存在しないため、コネクタ番号＃１の消去は省略される。
【００４７】
このような対応テーブル７１の更新により、サーバ切替スイッチ＃１にコネクタ対＃２が対応付けられ、サーバ切替スイッチ＃２にコネクタ対＃１が対応付けられる。したがって、サーバ切替スイッチ＃１によりサーバ＃１が選択された場合も、正しくサーバ＃１へディスプレイ３、キーボード４及びマウス５が接続される。つまり、予期せずＫＶＭ切替器１とサーバ２の接続が変わってしまった場合でも、自動的に対応テーブル７１が修正され、サーバ切替スイッチ１３で操作対象のサーバ２へ正しくディスプレイ３、キーボード４及びマウス５を接続することが可能となる。
【００４８】
次に、操作者がサーバ２のＫｅｙ画像送信スイッチ２７を押下し、ＫＶＭ切替器１がＫｅｙ画像２ａだけを受信した場合の対応テーブル制御部１５の処理について説明する。受信したＫｅｙ画像２ａが対応テーブル７１に存在し、Ｋｅｙ画像２ａを受信したコネクタ対１１の番号が対応テーブル７１内のコネクタ番号と一致する場合、対応テーブル制御部１５は、対応テーブル７１の更新は行わない。
【００４９】
この場合は、通常運用中（初期設定後）に、操作者がサーバ２側のＫｅｙ画像送信スイッチ２７を押した場合に相当し、初期設定時に対応テーブル７１にＫｅｙ画像２ａとコネクタ番号の組み合わせが既に記憶されている場合である。また、起動識別画像２ｂがなく、ディスプレイ３、キーボード４及びマウス５とサーバ２との接続切替時であるため、対応テーブル制御部１５は、切替信号としてコネクタ番号を出力する。
【００５０】
受信したＫｅｙ画像２ａが対応テーブル７１に存在し、Ｋｅｙ画像２ａを受信したコネクタ対１１のコネクタ番号が対応テーブル７１内のＫｅｙ画像２ａに対応するコネクタ番号と一致しない場合、対応テーブル制御部１５は、対応テーブル７１の書き換えを行う。この場合の対応テーブル制御部１５の書き換え処理は、図６及び図７に示した場合の書き換え処理と同様である。
【００５１】
この場合は、操作者が保守等により予期せず、かつ、装置の電源を切断せずにコネクタ対１１とサーバ２の接続が変化してしまった異常な場合に相当する（通常、接続変更時は操作者は電源を切断する）。また、起動識別画像２ｂがなく、ディスプレイ３、キーボード４及びマウス５とサーバ２との接続切替時であるため、対応テーブル制御部１５は、切替信号としてコネクタ番号を出力する。
【００５２】
受信したＫｅｙ画像２ａが対応テーブル７１に存在しない場合、対応テーブル制御部１５は、図５で示した場合と同様に、対応テーブル７１の書き換えを行う。この場合は、初期設定時に使用していなかったコネクタ対１１に、操作者が予期せず、かつ、装置の電源を切断せずにサーバ２を接続した異常な場合に相当する。（通常、接続変更時は操作者は電源を切断する）。また、起動識別画像２ｂがなく、ディスプレイ３、キーボード４及びマウス５とサーバ２との接続切替時であるため、対応テーブル制御部１５は、切替信号としてコネクタ番号を出力する。
【００５３】
このように、対応テーブル制御部１５は、受信したＫｅｙ画像２ａ及びコネクタ対１１の番号に基づいて対応テーブル７１を更新することにより、常に、正しい接続状態（サーバ２とサーバ切替スイッチ１３の対応）を対応テーブル７１上に保つことができる。
【００５４】
次に、キーボード４及びマウス５がＵＳＢ（Universal  Serial  Bus）で接続される場合のＫＶＭ切替器の構成について説明する。図８は、キーボード４及びマウス５がＵＳＢで接続される場合のＫＶＭ切替器１ａの構成を示す図である。
【００５５】
図１に示したＫＶＭ切替器１と比較すると、ＫＶＭ切替器１ａは、コネクタ対１１として、ＵＳＢコネクタ１１ａとＣＲＴ（Cathod  Ray  Tube）コネクタ１１ｂとを有する。ＵＳＢコネクタ１１ａは、サーバ２とＵＳＢケーブルで接続するためのコネクタである。ＣＲＴコネクタ１１ｂは、サーバ２とＣＲＴケーブルで接続するためのコネクタである。
【００５６】
また、図１に示したＫＶＭ切替器１と比較すると、ＫＶＭ切替器１ａは、接続切替制御部１６として、ＵＳＢ切替部１６ａと画像信号切替部１６ｂとを有する。また、ＫＶＭ切替器１ａは、ＫＶＭ接続コネクタ１７として、ＵＳＢコネクタＫ１７ａと、ＵＳＢコネクタＭ１７ｂと、ディスプレイコネクタ１７ｃと、ＵＳＢＨＵＢ１７ｄとを有する。
【００５７】
ＵＳＢ切替部１６ａは、対応テーブル制御部１５が出力した切替信号に基づいて、キーボード４及びマウス５とサーバ２との接続を切り替える。具体的には、ＵＳＢ切替部１６ａは、対応テーブル制御部１５が出力した切替信号に基づいて、ＵＳＢコネクタＫ１７ａ及びＵＳＢコネクタＭ１７ｂをｎ個のＵＳＢコネクタ１１ａのうちの１つに接続する。
【００５８】
画像信号切替部１６ｂは、対応テーブル制御部１５が出力した切替信号に基づいて、ディスプレイ３とサーバ２との接続を切り替える。具体的には、画像信号切替部１６ｂは、対応テーブル制御部１５が出力した切替信号に基づいて、ディスプレイコネクタ１７ｃをｎ個のＣＲＴコネクタ１１ｂのうちの１つに接続する。
【００５９】
ＵＳＢコネクタＫ１７ａは、キーボード４とＵＳＢケーブルで接続するためのコネクタであり、ＵＳＢコネクタＭ１７ｂは、マウス５とＵＳＢケーブルで接続するためのコネクタである。ディスプレイコネクタ１７ｃは、ディスプレイ３とＣＲＴケーブルで接続するためのコネクタであり、ＵＳＢＨＵＢ１７ｄは、ＵＳＢ切替部１６ａとＵＳＢコネクタＫ１７ａ及びＵＳＢコネクタＭ１７ｂとを中継するハブである。
【００６０】
次に、画像検出部１２の処理のフローについて説明する。図９は、画像検出部１２の処理のフローを示すフローチャートである。なお、ここでは、画像検出部＃ｉに画像が送られてきた場合の処理について説明する。
【００６１】
図９に示すように、画像検出部＃ｉがコネクタ対＃ｉからの画像をフレームメモリ６１に取り込み（ステップＳ１）、画像に起動識別画像２ｂが含まれているか否かを判定する（ステップＳ２）。その結果、画像検出部＃ｉは、画像に起動識別画像２ｂが含まれていない場合には、起動識別信号をＯＦＦする（ステップＳ３）。一方、画像に起動識別画像２ｂが含まれている場合には、画像検出部＃ｉは、フレームメモリ６１の画像の識別画像部分を消去し（ステップＳ４）、起動識別信号をＯＮにする（ステップＳ５）。
【００６２】
そして、画像検出部＃ｉは、フレームメモリ６１の画像の特徴を抽出し（ステップＳ６）、フレームメモリ６１の画像がＫｅｙ画像２ａの特徴を持つ画像であるか否かを判定する（ステップＳ７）。その結果、画像検出部＃ｉは、フレームメモリ６１の画像がＫｅｙ画像２ａの特徴を持つ画像でない場合には、ステップＳ１に戻る。一方、フレームメモリ６１の画像がＫｅｙ画像２ａの特徴を持つ画像である場合には、画像検出部＃ｉは、フレームメモリ６１の画像すなわちＫｅｙ画像２ａを対応テーブル制御部１５に送信する（ステップＳ８）。
【００６３】
このように、画像検出部＃ｉがＫｅｙ画像２ａ及び起動識別画像２ｂを検出することによって、対応テーブル制御部１５はＫｅｙ画像２ａ及び起動識別画像２ｂに基づく処理を実行することができる。
【００６４】
次に、対応テーブル制御部１５のＫｅｙ画像処理のフローについて説明する。図１０は、対応テーブル制御部１５のＫｅｙ画像処理のフローを示すフローチャートである。図１０に示すように、対応テーブル制御部１５は、最初の処理対象を選択するためにｉ＝１とする（ステップＳ１１）。
【００６５】
そして、対応テーブル制御部１５は、画像検出部＃ｉを処理対象として選択し（ステップＳ１２）、画像検出部＃ｉからＫｅｙ画像２ａが送られてきているかを判定する（ステップＳ１３）。その結果、Ｋｅｙ画像２ａが送られてきていない場合には、対応テーブル制御部１５は、ステップＳ２１に進む。
【００６６】
一方、Ｋｅｙ画像２ａが送られてきている場合には、対応テーブル制御部１５は、送られてきた画像と対応テーブル７１内のＫｅｙ画像２ａとを比較し（ステップＳ１４）、対応テーブル７１に一致するＫｅｙ画像２ａがあるか否かを判定する（ステップＳ１５）。その結果、対応テーブル７１に一致するＫｅｙ画像２ａがない場合には、対応テーブル制御部１５は、送られてきたＫｅｙ画像２ａを、対応テーブル７１のコネクタ番号＃ｉのＫｅｙ画像２ａとして記憶する（ステップＳ２２）。
【００６７】
一方、対応テーブル７１に一致するＫｅｙ画像２ａがある場合には、対応テーブル制御部１５は、対応テーブル７１から、一致したＫｅｙ画像に対応するコネクタ番号を取得する（ステップＳ１６）。そして、対応テーブル制御部１５は、取得したコネクタ番号がコネクタ番号＃ｉと一致するか否かを判定する（ステップＳ１７）。その結果、取得したコネクタ番号がコネクタ番号＃ｉと一致しない場合には、対応テーブル制御部１５は、対応テーブル７１内のコネクタ番号＃ｉを消去し、Ｋｅｙ画像２ａに対応するコネクタ番号をコネクタ番号＃ｉに書き換える（ステップＳ１８）。
【００６８】
そして、対応テーブル制御部１５は、起動識別信号がＯＮか否かを判定し（ステップＳ１９）、ＯＮでない場合には、切替信号としてコネクタ番号＃ｉを接続切替制御部１６に送信する（ステップＳ２０）。そして、対応テーブル制御部１５は、次の対象を決めるために、ｉ＝ｉ＋１とし、ｉがｎより大きければｉ＝１とする（ステップＳ２１）。そして、対応テーブル制御部１５は、ステップＳ１２に戻る。
【００６９】
このように、対応テーブル制御部１５は、画像検出部１２から送られてきた画像、対応テーブル７１及び起動識別信号に基づいて切替信号を出力する。したがって、ＫＶＭ切替器１は、ディスプレイ３、キーボード４及びマウス５とｎ台のサーバ２のうちの１台との接続を切り替えることができる。
【００７０】
次に、サーバ切替スイッチ１３が押された場合の対応テーブル制御部１５の処理のフローについて説明する。図１１は、サーバ切替スイッチ１３が押された場合の対応テーブル制御部１５の処理のフローを示すフローチャートである。
【００７１】
図１１に示すように、対応テーブル制御部１５は、サーバ切替スイッチ１３のスイッチ信号が送られてきているか否かを判定する（ステップＳ３１）。その結果、スイッチ信号が送られてきていない場合には、対応テーブル制御部１５は、ステップＳ３１の処理を繰り返す。
【００７２】
一方、サーバ切替スイッチ１３のスイッチ信号が送られてきている場合には、対応テーブル制御部１５は、対応テーブル７１から、スイッチ信号が示すスイッチ番号に対応するコネクタ番号を取得して、切替信号として出力する（ステップＳ３２）。
【００７３】
このように、対応テーブル制御部１５は、サーバ切替スイッチ１３のスイッチ信号と対応テーブル７１に基づいて切替信号を出力する。したがって、操作者はサーバ切替スイッチ１３を用いて、ディスプレイ３、キーボード４及びマウス５とｎ台のサーバ２のうちの１台との接続を切り替えることができる。
【００７４】
次に、接続切替制御部１６の処理のフローについて説明する。図１２は、接続切替制御部１６の処理のフローを示すフローチャートである。図１２に示すように、接続切替制御部１６は、初期設定として、コネクタ対＃１と、ＫＶＭ接続コネクタ１７を接続する（ステップＳ４１）。
【００７５】
そして、接続切替制御部１６は、対応テーブル制御部１５から切替信号が送られてきているか否かを判定し（ステップＳ４２）、送られてきていない場合には、ステップＳ４２の処理を繰り返す。
【００７６】
一方、対応テーブル制御部１５から切替信号が送られてきている場合には、接続切替制御部１６は、切替信号の表すコネクタ番号のコネクタ対１１と、ＫＶＭ接続コネクタ１７とを接続する（ステップＳ４３）。
【００７７】
このように、接続切替制御部１６は、対応テーブル制御部１５から送られてきた切替信号に基づいてＫＶＭ接続コネクタ１７と接続するコネクタ対１１を切り替える。したがって、ＫＶＭ切替器１は、ディスプレイ３、キーボード４及びマウス５とｎ台のサーバ２のうちの１台との接続を切り替えることができる。
【００７８】
次に、サーバ２のハードウェア構成について説明する。図１３は、サーバ２のハードウェア構成を示す図である。図１３に示すように、サーバ２は、メインボード２１と、内部記憶装置２２と、ハードディスク装置２３と、ＵＳＢコネクタ＃１〜ＵＳＢコネクタ＃３で示される３つのＵＳＢコネクタ２４とを有する。また、サーバ２は、グラフィックコントローラ２５と、ＣＲＴコネクタ２６と、Ｋｅｙ画像送信スイッチ２７とを有する。
【００７９】
メインボード２１は、システムメモリ３１と、ＣＰＵ（Central  Processing  Unit）３２と、ＵＳＢコントローラ３３と、スイッチコントローラ３４とを有する。システムメモリ３１は、プログラムやプログラムの実行途中結果などを記憶するメモリである。ＣＰＵ３２は、システムメモリ３１からプログラムを読み出して実行する中央処理装置である。ＵＳＢコントローラ３３は、ＵＳＢコネクタ２４に接続される周辺装置を制御するコントローラである。スイッチコントローラ３４は、Ｋｅｙ画像送信スイッチ２７の状態の検出やリセットなどを行うコントローラである。
【００８０】
内部記憶装置２２は、不揮発性の記憶装置であり、例えば、フラッシュメモリである。内部記憶装置２２は、Ｋｅｙ画像２ａ、起動識別画像２ｂ、Ｋｅｙ画像出力プログラム２ｄなどを記憶する。Ｋｅｙ画像出力プログラム２ｄは、ＫＶＭ切替器１にＫｅｙ画像を出力するプログラムである。Ｋｅｙ画像出力プログラム２ｄは、システムメモリ３１に読み出されてＣＰＵ３２によって実行される。
【００８１】
ハードディスク装置２３は、磁気ディスクを記憶媒体とする記憶装置であり、ＯＳ（Operating  System）やアプリケーションを記憶する。なお、内部記憶装置２２が記憶する画像、プログラム等をハードディスク装置２３に記憶し、内部記憶装置２２をなくしてもよい。
【００８２】
ＵＳＢコネクタ２４は、ＵＳＢケーブルによりＵＳＢ機器と接続するコネクタである。グラフィックコントローラ２５は、ディスプレイ３に表示されるグラッフィック画像を制御するコントローラである。ＣＲＴコネクタ２６は、ディスプレイケーブルによりディスプレイ３と接続するコネクタである。なお、ディスプレイケーブルインタフェースは、例えば、アナログＲＧＢ（Red-Green-Blue）、ＤＶＩ（Digital  Visual  Interface）、ＨＤＭＩ（登録商標）（High-Definition  Multimedia  Interface）である。
【００８３】
また、システムメモリ３１、ＣＰＵ３２、ＵＳＢコントローラ３３、スイッチコントローラ３４、内部記憶装置２２、ハードディスク装置２３及びグラフィックコントローラ２５は、バス２８で接続されている。また、ＵＳＢコネクタ＃３はＵＳＢケーブルでＫＶＭ切替器１に接続され、ＣＲＴコネクタ２６はディスプレイケーブルによりＫＶＭ切替器１に接続されている。
【００８４】
次に、Ｋｅｙ画像送信スイッチ２７が押された場合のサーバ２の処理のフローについて説明する。図１４は、Ｋｅｙ画像送信スイッチ２７が押された場合のサーバ２の処理のフローを示すフローチャートである。
【００８５】
図１４に示すように、サーバ２は、プログラムの実行状態に基づいてＯＳ又はアプリケーションの画面を表示する（ステップＳ５１）。そして、サーバ２は、Ｋｅｙ画像送信スイッチ２７が押されたか否かを判定し（ステップＳ５２）、押されていない場合には、ステップＳ５１に戻る。
【００８６】
一方、Ｋｅｙ画像送信スイッチ２７が押された場合には、Ｋｅｙ画像出力プログラム２ｄが内部記憶装置２２から読み込んだＫｅｙ画像２ａをグラフィックコントローラ２５に出力する（ステップＳ５３）。そして、グラフィックコントローラ２５が、ＯＳ又はアプリケーションの画面より優先してＫｅｙ画像２ａをＣＲＴコネクタ２６へ出力する（ステップＳ５４）。
【００８７】
そして、サーバ２は、Ｋｅｙ画像送信スイッチ２７が離されたか否かを判定し（ステップＳ５５）、離されていない場合には、ステップＳ５３に戻る。一方、Ｋｅｙ画像送信スイッチ２７が離された場合には、Ｋｅｙ画像出力プログラム２ｄがＫｅｙ画像２ａの出力を停止し（ステップＳ５６）、グラフィックコントローラ２５がＯＳ又はアプリケーションの画面をＣＲＴコネクタ２６へ出力する（ステップＳ５７）。
【００８８】
このように、Ｋｅｙ画像出力プログラム２ｄがＫｅｙ画像送信スイッチ２７の状態に基づいてＫｅｙ画像２ａの出力を制御することによって、ＫＶＭ切替器１は、ディスプレイ３、キーボード４及びマウス５と接続するサーバ２を切り替えることができる。
【００８９】
上述してきたように、実施例では、各サーバ２が異なるＫｅｙ画像２ａを記憶するとともに共通な起動識別画像２ｂを記憶する。そして、各サーバ２は、起動時にＫｅｙ画像２ａと起動識別画像２ｂを合成した合成画像２ｃをＫＶＭ切替器１に送信し、Ｋｅｙ画像送信スイッチ２７が押下されるとＫｅｙ画像２ａをＫＶＭ切替器１に送信する。
【００９０】
また、ＫＶＭ切替器１の画像検出部１２が、サーバ２から送られてきた画像にＫｅｙ画像２ａ及び起動識別画像２ｂが含まれているか否かを判定し、Ｋｅｙ画像２ａが含まれている場合にはＫｅｙ画像２ａを対応テーブル制御部１５に出力する。また、画像検出部１２は、起動識別画像２ｂが含まれている場合には起動識別信号をＯＮとし、起動識別画像２ｂが含まれていない場合には起動識別信号をＯＦＦとする。また、対応テーブル７１がスイッチ番号とＫｅｙ画像２ａとコネクタ番号とを対応付けて記憶する。そして、対応テーブル制御部１５が、受信した画像が対応テーブル７１に登録されていて、対応するコネクタ番号が画像を受信したコネクタ対１１の番号と一致し、起動識別信号がＯＦＦである場合に、コネクタ番号を接続切替制御部１６に出力する。そして、接続切替制御部１６がディスプレイ３、キーボード４及びマウス５と接続するサーバ２を切替信号に基づいて切り替える。
【００９１】
したがって、コンピュータシステム１０の操作者は、複数のサーバ２の中からディスプレイ３、キーボード４及びマウス５に接続したいサーバ２に正確かつ簡単に切り替えることができる。
【００９２】
また、実施例では、サーバ切替スイッチ１３が押下されると、対応テーブル制御部１５が対応テーブル７１でサーバ切替スイッチ１３のスイッチ番号に対応付けられたコネクタ番号を接続切替制御部１６に出力する。したがって、コンピュータシステム１０の操作者は、ＫＶＭ切替器１からもディスプレイ３、キーボード４及びマウス５に接続するサーバ２を切り替えることができる。
【００９３】
また、実施例では、対応テーブル制御部１５は、受信した画像が対応テーブル７１に登録されていない場合には、画像を受信したコネクタ対１１のコネクタ番号に対応付けて、受信した画像を対応テーブル７１にＫｅｙ画像２ａとして登録する。したがって、各サーバ２は、Ｋｅｙ画像２ａをＫＶＭ切替器１に送信することによって、Ｋｅｙ画像２ａをＫＶＭ切替器１に登録することができる。
【００９４】
また、実施例では、対応テーブル制御部１５が、受信した画像が対応テーブル７１に登録されていて、対応するコネクタ番号が画像を受信したコネクタ対１１の番号と一致しない場合に、画像を受信したコネクタ対１１の番号を対応テーブル７１から消去する。また、対応テーブル制御部１５は、受信した画像に対応するコネクタ番号を画像を受信したコネクタ対１１の番号に書き換える。したがって、保守等により、予期せずＫＶＭ替器１とサーバ２の接続が変わってしまった場合でも、ＫＶＭ切替器１は、サーバ切替スイッチ１３とサーバ２の関係を保つことができる。例えば、設置直後にサーバ切替スイッチ１３の近傍へラベル等によりサーバ切替スイッチ１３と接続されているサーバ２の名称との対応を表示する場合がある。このような場合に、ラベルを変更することなく、サーバ切替スイッチ１３で操作対象のサーバ２へ正しくディスプレイ３、キーボード４及びマウス５を接続することが可能である。
【００９５】
また、実施例では、起動識別信号がＯＮである場合には、対応テーブル制御部１５は、対応テーブル７１を更新することも、コネクタ番号を接続切替制御部１６に出力することも行わない。したがって、Ｋｅｙ画像２ａを対応テーブル７１に初期設定した後、コンピュータシステム１０を立ち上げた際に、ＫＶＭ切替器１が不要な動作を行うことを防ぐことができる。
【００９６】
なお、実施例では、Ｋｅｙ画像２ａ及び起動識別画像２ｂを用いる場合について説明したが、本発明はこれに限定されるものではなく、例えば、サーバ２固有のテキスト及び一定パターンのテキストなどのデータを用いる場合にも同様に適用することができる。
【００９７】
また、実施例では、ＫＶＭ切替器１にディスプレイ３、キーボード４及びマウス５を接続する場合について説明したが、本発明はこれに限定されるものではなく、同様の切替器に録画装置など他の周辺装置を接続する場合にも同様に適用することができる。
【００９８】
また、実施例では、ＫＶＭ切替器１でサーバ２を切り替える場合について説明したが、本発明はこれに限定されるものではなく、ＫＶＭ切替器１で他のコンピュータを切り替える場合にも同様に適用することができる。
【符号の説明】
【００９９】
１，１ａ，９    ＫＶＭ切替器
２，８    サーバ
２ａ    Ｋｅｙ画像
２ｂ    起動識別画像
２ｃ    合成画像
２ｄ    Ｋｅｙ画像出力プログラム
３    ディスプレイ
４    キーボード
５    マウス
１０，１０ａ    コンピュータシステム
１１    コネクタ対
１１ａ    ＵＳＢコネクタ
１１ｂ    ＣＲＴコネクタ
１２  画像検出部
１３，９１  サーバ切替スイッチ
１４    スイッチ制御部
１５    対応テーブル制御部
１６    接続切替制御部
１６ａ    ＵＳＢ切替部
１６ｂ    画像信号切替部
１７    ＫＶＭ接続コネクタ
１７ａ    ＵＳＢコネクタＫ
１７ｂ    ＵＳＢコネクタＢ
１７ｃ    ディスプレイコネクタ
１７ｄ    ＵＳＢＨＵＢ
１８    テーブルリセットスイッチ
２１    メインボード
２２    内部記憶装置
２３    ハードディスク装置
２４    ＵＳＢコネクタ
２５    グラフィックコントローラ
２６    ＣＲＴコネクタ
２７    Ｋｅｙ画像送信スイッチ
２８    バス
３１    システムメモリ
３２    ＣＰＵ
３３    ＵＳＢコントローラ
３４    スイッチコントローラ
６１    フレームメモリ
６２    画像処理部
７１    対応テーブル
７２    Ｋｅｙ画像比較部
【図１】
2015230680.tif 000003
【図２】
2015230680.tif 000004
【図３】
2015230680.tif 000005
【図４】
2015230680.tif 000006
【図５】
2015230680.tif 000007
【図６】
2015230680.tif 000008
【図７】
2015230680.tif 000009
【図８】
2015230680.tif 000010
【図９】
2015230680.tif 000011
【図１０】
2015230680.tif 000012
【図１１】
2015230680.tif 000013
【図１２】
2015230680.tif 000014
【図１３】
2015230680.tif 000015
【図１４】
2015230680.tif 000016
【図１５】
2015230680.tif 000017